(57)【要約】【課題】  二つのトレー部材を組み合わせて、トレーの縦方向に伸縮自在とするとともに、横方向に所要数のトレーを結合して、陳列台のスペースに簡単に合わせることができる陳列用トレーを提供すること。【解決手段】  陳列用トレーとして、底板と、その前方部に立設された前壁と、底板の一側部に立設された側壁とからなるトレー部材を一対そろえた陳列用トレーであって、底板に、縦方向に延びる一定長さの突出板と縦溝とを同一幅として順次並列したトレー部材を組合わせたことを特徴とする。【選択図】  図１
2006238907.tif 000002
【特許請求の範囲】
【請求項１】
底板と、その前方部に立設された前壁と、底板の一側部に立設された側壁とからなるトレー部材を一対そろえた陳列用トレーであって、
底板に、縦方向に延びる一定長さの突出板と縦溝とを同一幅として順次並列したことを特徴とするトレー部材を組合わせた陳列用トレー。
【請求項２】
底板と、その前方部に立設された前壁と、底板の一側部に立設された側壁とからなるトレー部材を一対そろえた陳列用トレーであって、
底板に、横方向に延びる一定長さの突出板と、横溝とを同一幅として順次並列したことを特徴とするトレー部材を組合わせた陳列用トレー。
【請求項３】
底板の前方部の一方の端縁に、端部が突出された連結部と係合凹部とからなる連結片を延設し、
反対側の端縁下面に、連結片の連結部と係合凹部とに係合可能な連結受部と係合突部とからなる連結凹部を設けたことを特徴とするトレー部材を組合わせた請求項１、２記載の陳列用トレー。
【請求項４】
組合わせた一対のトレー部材を、所望する長さとして係合させ、固定させるようにする固定用シールを設けたことを特徴とする請求項１〜３記載の陳列用トレー。
【請求項５】
前壁の前方底板に、扇形状の表示支持片を複数立設し、ラベルを載置し、透明なカバーを被せたことを特徴とする請求項１〜４記載の陳列用トレー。
【発明の詳細な説明】
【技術分野】
【０００１】
本発明は、陳列用トレー、とくに陳列棚の奥行きに合わせて伸縮することのできる陳列用トレーに関するものである。
【背景技術】
【０００２】
陳列用トレーにおいて、箱体の長手側の一側壁を欠いた外箱（３）と、外箱（３）と同形で、長手側の一つの側壁を欠き、外箱（３）内にスライド自在、かつ離脱自在に差込むことができる内箱（４）とからなり、外箱と内筒との間に、寸法調整用の凹部を併設した係止部と、該係止部に係合する連結片とを配設し、陳列商品や、陳列スペースのサイズに合わせて、長手方向の寸法を調整自在とした陳列用トレーは、従来より知られている（例えば、特許文献１参照）。  
【特許文献１】特開２００３−３０４９５３号公報
【発明の開示】
【発明が解決しようとする課題】
【０００３】
しかしながら、上記文献記載１の従来技術では、内箱の底板と外箱の底板との間には、段差が生じるので、底板の合わせ目では、商品を平面上に載置することができないという問題があった。
また、外箱の側壁に並列した外箱との連結手段がないため、一つの陳列台にトレーを横方向に並列する場合に、一列に正しく並んでいるか否かを目視することによって確認しなければならなかった。  
【０００４】
また、商品表示部を設けていないから、トレーの前面に商品に関するラベルを貼着したり、トレーの箱体上に載置する商品の表示台を別途用意したりしなければならなかった。
また、箱の底板に、寸法調整に凹部を並列した係止部と連結片を設けており、その構成は簡単でなかった。
【０００５】
本発明は、上記の問題点を解決することを課題として、二つのトレー部材を組み合わせて、トレーの縦方向に伸縮自在とするとともに、横方向に所要数のトレーを結合して、陳列台のスペースに簡単に合わせることができる陳列用トレーを提供することを目的とする。
【課題を解決するための手段】
【０００６】
本発明は、上記課題を解決するために、陳列用トレーとして、底板と、その前方部に立設された前壁と、底板の一側部に立設された側壁とからなるトレー部材を一対そろえた陳列用トレーであって、底板に、縦方向に延びる一定長さの突出板と縦溝とを同一幅として順次並列したトレー部材を組合わせたことを特徴とする構成を採用する。
【０００７】
陳列用トレーの別実施として、底板と、その前方部に立設された前壁と、底板の一側部に立設された側壁とからなるトレー部材を一対そろえた陳列用トレーであって、底板に、横方向に延びる一定長さの突出板と、横溝とを同一幅として順次並列したトレー部材を組合わせたことを特徴とする構成を採用する。
【０００８】
陳列用トレーを横方向に連結するため、底板の前方部の一方の端縁に、端部が突出された連結部と係合凹部とからなる連結片を延設し、反対側の端縁下面に、連結片の連結部と係合凹部とに係合可能な連結受部と係合突部とからなる連結凹部を設けたことを特徴とする構成を採用する。
【０００９】
陳列用トレーの奥行きを規制する手段として、組合わせた一対のトレー部材を、所望する長さとして係合させ、固定させるようにする固定用シールを設けたことを特徴とする構成を採用する。
【００１０】
表示のための実施例として、前壁の前方底板に、扇形状の表示支持片を複数立設し、ラベルを載置し、透明なカバーを被せたことを特徴とする構成を採用する。
【発明の効果】
【００１１】
本願発明は、一対のトレー部材を、縦方向または横方向に延びる同一幅の突出板と凹溝を係合させることによって陳列用トレーの奥行き方向の長さを調整可能とし、さらに、底板の側端に連結片と連結凹部を設けて、陳列用トレーを横方向に連結できるようにしたので、陳列台の広さに合わせて、陳列用トレーを配置できるようになった。
また、底板の前方に商品の表示部を設けたので、陳列用トレーの表示効果を高めることができるようになった。
【発明を実施するための最良の形態】
【００１２】
次に、本発明の陳列用トレーの実施形態について、実施例をあげ、図面を参照して説明する。
【実施例１】
【００１３】
図１において、Ａは同形状のトレー部材Ａ１、Ａ２を組合わせて形成された商品陳列台に載置される陳列用トレー本体、Ｂは陳列用トレー本体Ａに取着されるカバー、Ｃは陳列用トレー本体Ａに載置され、カバーＢに被嵌されるラベル、Ｄは陳列用トレー本体Ａを任意の長さで固定させる固定用シールである。
【００１４】
図１、２に示すように、トレー部材Ａ１は、後側を櫛歯状に切り欠かれた底板１と、底板１の前側に立設された前壁２と、底板１の右側縁に立設され前壁２とＬ字形に連設された側壁３とを具えている。
底板１の後側は櫛歯状に形成され、同じ幅の突出板４と縦溝５とが、底板１の右側の側壁３の内方に突出板４、左側端縁に縦溝５が位置するように交互に形成されている。
【００１５】
前壁２より前方側の底板１上面には、ラベルＣを載置する数個の板状の表示支持片６が適所に配設されており、表示支持片６は、後方に前壁２の壁面と平行する後部７と、弧状の前部８とから前後に延びる扇形状の板体として形成されている。
【００１６】
底板１の左側には連結用の連結片９が配設され、底板１の右側の連結片９に対向する位置には連結片９と係合する連結凹部１０が配設されている。
【００１７】
連結片９には、底板１からほぼ側壁３の厚さ分離れた位置に係合凹部１１が形成され、係合凹部１１より先端側は連結部１２、後側は側壁３の厚さ分の段部１３となっている。
連結凹部１０は底板１下面に凹設され、連結片９の連結部１２と係合する連結受部１４と、連結片９の係合凹部１１と係合する係合突部１５とからなっている。
トレー部材Ａ２は、トレー部材Ａ１と同形状である。
【００１８】
カバーＢは、透過性のある素材で形成されており、図１に示すように、トレー部材Ａ１の前壁２と表示支持片６の後部７との間に挿入され係止される後壁２０と、トレー部材Ａ１の表示支持片６の前部８を覆い、内部を外部より視認可能な表示壁２１とから形成されている。
【００１９】
ラベルＣは、図１に示すように、商品の表示などを提示するため、可撓性を有し、トレー部材Ａ１の扇形状の表示支持片６の前部８に載置され、カバーＢの表示壁２１内面に被嵌される。
【００２０】
固定用シールＤは、トレー部材Ａ１とトレー部材Ａ２とを係合させた陳列用トレー本体Ａを、任意の長さで固定させる固定用シールで、貼着剤を塗布したフィルムが用いられ、その長さは適宜に設定されている。
【００２１】
次に、本実施例の使用態様と作用効果について説明する。
陳列用トレーとして、陳列用トレー本体Ａの組立方法は、まず始めに、トレー部材Ａ１とトレー部材Ａ２を、図１に示すように、互いの前壁２を対向させ、外側に位置するように係合させる。
その際、トレー部材Ａ１の連結片９側の縦溝５に、トレー部材Ａ２の連結凹部１０側の突出板４が係合し、また、トレー部材Ａ１の連結凹部１０側の突出板４に、トレー部材Ａ２の連結片９側の縦溝５が係合して、互いの底板１の縦溝５に、突出板４が係合するように組立てる。
【００２２】
次に、商品陳列台の奥行きに合わせ、図３に示すように、トレー部材Ａ１とトレー部材Ａ２との係合をスライドし、陳列用トレー本体Ａの奥行きを伸ばす。
その際、トレー部材Ａ１とトレー部材Ａ２は、突出板４と突出板４との間に他方のトレー部材の突出板４が係合しているので、奥行き方向には前後に移動できるが、横方向には移動できないようになっている。
【００２３】
次に、陳列用トレー本体Ａの奥行きが決まったら、陳列用トレー本体Ａに、固定用シールＤを貼着することによって、トレー部材Ａ１とトレー部材Ａ２は互いに固定され、任意の奥行きのある陳列用トレー本体Ａとなる。
【００２４】
最後に、陳列用トレー本体Ａのトレー部材Ａ１とトレー部材Ａ２のどちらか一方、または、両方の前壁２側の表示支持片６の前部８にラベルＣを載置し、上方よりカバーＢを被嵌させる。  
以上のようにして、カバーＢの外側よりラベルＣの表示を視認できる陳列用トレーが得られる。
【００２５】
陳列用トレー本体Ａの奥行きを変更したいときには、固定用シールＤを陳列用トレー本体Ａより剥離し、トレー部材Ａ１とトレー部材Ａ２をスライドさせて陳列用トレー本体Ａの奥行きを変更し、再度、固定用シールＤを貼着し、トレー部材Ａ１とトレー部材Ａ２を互いに固定させると、陳列用トレー本体Ａの奥行きを変更することができる。
【００２６】
また、陳列用トレー本体Ａの側部に連結片９と連結凹部１０を設けているので、商品陳列台の横幅に合わせて、複数の陳列用トレー本体Ａを連結することができる。
【００２７】
上記実施例では、トレー部材Ａ１、Ａ２の底板１の右側の側壁３の内方に突出板４を設けているので、トレー部材Ａ１とトレー部材Ａ２を組み合わせた際に、互いの底板１が側方に側壁３の厚さ分だけ出てしまうため、複数の陳列用トレー本体Ａを連結する時に、連結片９に段部１３が必要となっていた。
しかし、底板１の右端側から突出板４を設けるか、または、板板１の左端側の縦溝５を側壁３の厚さ分だけずらすことで、互いの底板１がずれることなく組み合わせることができ、その場合には複数の陳列用トレー本体Ａを連結する時に、連結片９に段部１３が必要としないので、連結片９の底板１側端から係合凹部１１を設けることができる。
したがって、トレー部材Ａ１、Ａ２の側端部の突出板、または、縦溝の寸法、さらに連結片９の構成は、上記実施例の形態に限定されない。
【実施例２】
【００２８】
次に、前記第１実施例のトレー部材の底板の構成を変えた第２実施例について説明する。
図４において、Ａａは同形状のトレー部材Ａａ１、Ａａ２とを組み合わせて形成された商品陳列台に載置される陳列用トレー本体、Ｂａは陳列用トレー本体Ａａに取着されるカバー、Ｃａは陳列用トレー本体Ａａに載置され、カバーＢａに被嵌されるラベル、Ｄａは陳列用トレー本体Ａａを任意の長さで固定させる固定用シールである。
【００２９】
トレー部材Ａａ１、Ａａ２以外の構成は、実施例１と同様であるので、添字ａを付して図示し、詳しい説明は省略する。
【００３０】
図４、５に示すように、トレー部材Ａａ１は、左側部後方を切り欠かれた底板２５と、底板２５の前側に立設された前壁２ａと、底板２５の右側縁に立設され、前壁２ａとＬ字形に連設された側壁３ａとを具えている。
底板２５の左側部後方は、鍵状の切欠部２６により切り欠かれ、前壁２ａ側に底板２５の中心より右側に凹設された横溝２７と、底板２５後側に底板２５の中心より突設した突出板２８が交互にくるように同じ幅、かつ、中心より同じ長さをもつ凹凸で数個づつ形成されている。
【００３１】
前壁２ａより前方側の底板２５上面には、ラベルＣａを載置するための扇形状に形成された数個の表示支持片６ａが配設されている。
底板２５の左側には連結片９ａが配設され、底板２５の右側には連結片９ａの反対側に位置して連結凹部１０ａが配設されている。
トレー部材Ａａ２は、トレー部材Ａａ１と同形状である。
【００３２】
次に、本実施例の使用態様と作用効果について説明する。
陳列用トレーとして、陳列用トレー本体Ａａの組立ては、まず始めに、トレー部材Ａａ１とトレー部材Ａａ２を、図４に示すように、互いの前壁２を対向させ、外側に位置するように係合させる。
【００３３】
その際、トレー部材Ａａ１の底板２５の前壁２ａ側の横溝２７に、トレー部材Ａａ２の底板２５の突出板２８が係合し、また、トレー部材Ａａ１の底板２５の前壁２ａの反対側の突出板２８に、トレー部材Ａａ２の底板２５の前壁２ａ側の横溝２７が係合することで、互いの底板２５の横溝２７に突出板２８が係合することとなる。
【００３４】
次に、陳列用トレー本体Ａａに、固定用シールＤａを貼着し、トレー部材Ａａ１とトレー部材Ａａ２とを互いに固定させる。
最後に、陳列用トレー本体Ａａのトレー部材Ａａ１とトレー部材Ａａ２のどちらか、または、両方の前壁２ａ側の表示支持片６ａに、ラベルＣａを載置し、上方よりカバーＢａを被嵌させる。  
以上のようにして、カバーＢａの外側よりラベルＣａの表示を視認できる陳列用トレーが得られる。
【００３５】
陳列用トレー本体Ａａの奥行きを変更したいときには、固定用シールＤａを陳列用トレー本体Ａａより剥離し、トレー部材Ａａ１とトレー部材Ａａ２との係合を外す。
次に、図６に示すように、トレー部材Ａａ１とトレー部材Ａａ２の底板２５の横溝２７と突出板２８との係合の組合せを変更して、陳列用トレー本体Ａａの奥行きを変更する。
最後に、再度、固定用シールＤａを貼着し、トレー部材Ａａ１とトレー部材Ａａ２を互いに固定させることにより、陳列用トレー本体Ａの奥行きを変更することができる。
【００３６】
陳列用トレー本体Ａａの側部に連結片９ａと連結凹部１０ａを設けているので、商品陳列台の横幅に合わせて、複数の陳列用トレー本体Ａａを連結することができる。
【００３７】
前記各実施例では、トレー部材の側部に連結片を設けているので、商品陳列台の側端部においては、陳列用トレー本体を載置する際に連結片が当接し邪魔になるという問題が生じるが、最端部にくるトレー部材の連結片を配設しないか、または、連結片を切り離し可能とすることで問題が解決できる。
【００３８】
また、各実施例ともに、固定用シールを陳列用トレー本体の固定用として貼着しているが、トレー部材同士を係合させ奥行きを決定した後に、陳列用トレー本体の各壁内側の寸法に合せて固定用シールを形成し、陳列用トレー本体の各壁内側の上面に貼着するようにすれば、陳列用トレー本体の各壁内側の上面に、段差や穴が発生しないようにすることができる。
【００３９】
各実施例ともに、陳列用トレー本体の横幅を、用途に合わせて変更して作成し、違う横幅の陳列用トレー本体を複数用意して、所要の陳列用トレー本体を連結することも可能である。
【産業上の利用可能性】
【００４０】
本願発明の陳列用トレーは、一対のトレー部材を係合させることによって陳列用トレーの奥行き方向の長さを調整可能とし、さらに、陳列用トレーを横方向に連結できるので、様々な陳列台に組合せて広く利用できる。
【図面の簡単な説明】
【００４１】
【図１】本発明第１実施例の陳列用トレーの説明図である。
【図２】第１実施例のトレー部材の上面図である。
【図３】第１実施例の奥行き変更時の説明図である。
【図４】本発明第２実施例の陳列用トレーの説明図である。
【図５】第２実施例のトレー部材の上面図である
【図６】第２実施例の奥行き変更時の説明図である。
【符号の説明】
【００４２】
Ａ、Ａａ        陳列用トレー本体
Ａ１、Ａ２、Ａａ１、Ａａ２    トレー部材
Ｂ、Ｂａ        カバー
Ｃ、Ｃａ        ラベル
Ｄ、Ｄａ        固定用シール
１、２５        底板
２、２ａ        前壁
３、３ａ        側壁
４、２８        突出板
５              縦溝
６、６ａ        表示支持片
７              後部
８              前壁
９、９ａ        連結片
１０、１０ａ    連結凹部
１１            係合凹部
１２            連結部
１３            段部
１４            連結受部
１５            係合突部
２０            後壁
２１            表示壁
２６            切欠部
２７            横溝
【図１】
2006238907.tif 000003
【図２】
2006238907.tif 000004
【図３】
2006238907.tif 000005
【図４】
2006238907.tif 000006
【図５】
2006238907.tif 000007
【図６】
2006238907.tif 000008